(57)【特許請求の範囲】
【請求項１】
サービス利用者とサービス提供者とのマッチングを行うサービス予約システムであって、
前記サービス利用者から所定のエリア内の複数の前記サービス提供者へのサービスに関するアンケートを前記サービス利用者の名前を伏せた匿名状態で送信するアンケート送信部と、
複数の前記サービス提供者から前記サービス利用者への前記アンケートに対する回答メッセージを送信するアンケート回答部と、
前記回答メッセージの結果に基づいて前記サービス利用者が選定した少なくとも１つの前記サービス提供者に対して、前記サービスを利用するための申込メッセージを送信する申込送信部と、
前記申込メッセージに対する受け入れ可能メッセージを最初に送信した前記サービス提供者との予約成立を許可し、２番目以降にメッセージを送信する前記サービス提供者との予約成立を禁止する予約成立部と、
を備えることを特徴とするサービス予約システム。
【請求項２】
請求項１に記載のサービス予約システムにおいて、
前記アンケートは、前記サービス提供者が提供する複数の前記サービスの中から前記サービス利用者が重視している前記サービスに関する情報である利用者側ランキングを前記サービス提供者に秘匿された状態で含んでおり、
前記回答メッセージは、複数の前記サービスの中から前記サービス提供者が得意とする前記サービスに関する情報である提供者側ランキングを含むことを特徴とするサービス予約システム。
【請求項３】
請求項２に記載のサービス予約システムにおいて、
前記利用者側ランキングと前記提供者側ランキングに基づいて、前記サービス利用者が重視している前記サービスを得意とする前記サービス提供者を推薦する推薦部を備えることを特徴とするサービス予約システム。
【請求項４】
請求項１から請求項３のいずれか１項に記載のサービス予約システムにおいて、
前記サービス利用者が指定する位置情報に基づいて前記所定のエリアを決定するエリア設定部を備え、
前記エリア設定部は、前記サービス利用者の携帯端末の画面上に、前記位置情報と、前記所定のエリアを確定するために閉じられた領域とを表示し、前記サービス利用者の指で前記画面上を操作することで、前記閉じられた領域を広げる又は狭くして前記所定のエリアを決定することを特徴とするサービス予約システム。
【発明の詳細な説明】
【技術分野】
【０００１】
本発明は、サービス予約システムに関する。
【背景技術】
【０００２】
従来、サービスを提供する提供者に対し、利用者が予約を行ってサービスの提供を受けることがある。例えば、飲食店を利用する利用者が飲食店のウェブサイトを見て、電話をかけて予約し、また、ウェブ上のシステムを使って予約を取るなどの方法により予約が行われている。
【０００３】
本発明に関連する技術として、例えば、特許文献１には、飲食店利用サービスプロバイダに対してユーザがユーザ端末によりインターネット経由で飲食店利用サービスを要求すると、上記飲食店利用サービスプロバイダからユーザ端末にメニュー分類およびユーザから飲食店までの経路などの交通情報を含むサービス地区分類を送信する第１ステップと、上記ユーザが上記メニュー分類および上記サービス地区分類から詳細を知りたい飲食店を指定して飲食店の提供する詳細情報から特定の飲食店とユーザの現在位置などを指定し、かつ必要とする付帯情報名を選択して付帯情報の詳細を入手する第２ステップと、上記ユーザが入手した付帯情報を基に飲食店を決定して料理を上記インターネット経由で飲食店端末に予約情報として送信すると、上記飲食店端末から予約受付完了後、上記ユーザに受付データを送信することにより、上記ユーザが受付データの確認を行う第３ステップと、を備えることを特徴とするインターネットを利用した飲食店利用方法が開示されている。
【先行技術文献】
【特許文献】
【０００４】
【特許文献１】特開２００１−３０６７１４号公報
【発明の概要】
【発明が解決しようとする課題】
【０００５】
従来の予約方法では、飲食店（サービス提供者）と利用者（サービス利用者）とは一対一でやり取りしているため、飲食店側は利用者を選ぶことができない。また、利用者側も飲食店の得意料理などを確認しながら他に良い店があるのではと考え、当該飲食店に断りを入れて次の店に電話をしたときに「ひょっとすると前の店の方がよかったのでは？」と感じることがある。このような場合に、前の店に戻って電話することに躊躇してしまうことがある。特に、前の店に仮予約などして名前を伝えている場合などは気が引ける虞がある。
【０００６】
本発明の目的は、サービス提供者とサービス利用者とをより適切にマッチングすることを可能とするサービス予約システムを提供することである。
【課題を解決するための手段】
【０００７】
本発明に係るサービス予約システムは、サービス利用者とサービス提供者とのマッチングを行うサービス予約システムであって、前記サービス利用者から所定のエリア内の複数の前記サービス提供者へのサービスに関するアンケートを前記サービス利用者の名前を伏せた匿名状態で送信するアンケート送信部と、複数の前記サービス提供者から前記サービス利用者への前記アンケートに対する回答メッセージを送信するアンケート回答部と、前記回答メッセージの結果に基づいて前記サービス利用者が選定した少なくとも１つの前記サービス提供者に対して、前記サービスを利用するための申込メッセージを送信する申込送信部と、前記申込メッセージに対する受け入れ可能メッセージを最初に送信した前記サービス提供者との予約成立を許可し、２番目以降にメッセージを送信する前記サービス提供者との予約成立を禁止する予約成立部と、を備えることを特徴とする。
【０００８】
また、本発明に係るサービス予約システムにおいて、前記アンケートは、前記サービス提供者が提供する複数の前記サービスの中から前記サービス利用者が重視している前記サービスに関する情報である利用者側ランキングを前記サービス提供者に秘匿された状態で含んでおり、前記回答メッセージは、複数の前記サービスの中から前記サービス提供者が得意とする前記サービスに関する情報である提供者側ランキングを含むことが好ましい。
【０００９】
また、本発明に係るサービス予約システムにおいて、前記利用者側ランキングと前記提供者側ランキングに基づいて、前記サービス利用者が重視している前記サービスを得意とする前記サービス提供者を推薦する推薦部を備えることが好ましい。
【００１０】
また、本発明に係るサービス予約システムは、前記サービス利用者が指定する位置情報に基づいて前記所定のエリアを決定するエリア設定部を備え、前記エリア設定部は、前記サービス利用者の携帯端末の画面上に、前記位置情報と、前記所定のエリアを確定するために閉じられた領域とを表示し、前記サービス利用者の指で前記画面上を操作することで、前記閉じられた領域を広げる又は狭くして前記所定のエリアを決定することが好ましい。
【発明の効果】
【００１１】
本発明によれば、サービス提供者とサービス利用者とをより適切にマッチングすることができる。
【図面の簡単な説明】
【００１２】
【図１】本発明に係る実施形態のサービス予約システムを示す図である。
【図２】本発明に係る実施形態のサービス予約システムにおいて、サービス提供者の範囲を指定している様子を示す図である。
【図３】本発明に係る実施形態のサービス予約システムにおいて、利用者側ランキングと提供者側ランキングに基づいて、利用者が重視しているサービスを得意とするサービス提供者をマッチングしている様子を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、本発明に係る実施形態のサービス予約システム１０を示す図である。図２は、サービス予約システム１０において、サービス提供者４の範囲（所定のエリア）を指定している様子を示す図である。
【００１５】
図３は、サービス予約システム１０において、利用者側ランキングと提供者側ランキングに基づいて、利用者が重視しているサービスを得意とするサービス提供者４をマッチングしている様子を示す図である。
【００１６】
サービス予約システム１０は、サービス利用者６とサービス提供者４とのマッチングを行うシステムである。ここでは、サービス提供者４は飲食店であり、サービス利用者６は飲食店に訪れる客であるものとして説明するが、もちろん、その他のサービス業であってもよい。
【００１７】
サービス予約システム１０は、アンケート送信部１２と、アンケート回答部１４と、申込送信部１６と、予約成立部１８と、推薦部２０と、エリア決定部２２とを備えている。
【００１８】
アンケート送信部１２は、サービス利用者６から所定のエリア内の複数のサービス提供者４へのサービスに関するアンケートをサービス利用者６の名前を伏せた匿名状態で送信する機能を有する。所定のエリアは、エリア決定部２２により決定され、アンケートを送信するサービス提供者４が存在する領域である。
【００１９】
アンケートは、サービス利用者６である飲食店の客が希望する情報を含んでいる。例えば、利用する日時、利用人数、予算などの一般的な情報はもちろんのこと、サービス利用者６が飲食店を利用する際に重視していることのランキング（例えば、食べたい料理のランキング）である利用者側ランキングが示されている。
【００２０】
アンケートは、サービス提供者４が提供する複数のサービスの中からサービス利用者６が重視しているサービスに関する情報である利用者側ランキングをサービス提供者４に秘匿された状態で含んでいる。秘匿された状態とは、サービス利用者６の名前などの個人情報が特定されない状態のことを意味する。
【００２１】
例えば、サービス利用者６が例えば、図３に示されるように「なべ」と「焼き鳥」を食べたい気持ちがある場合に、サービス利用者６の携帯端末８を用いて重視している度合いを入力する。
【００２２】
図３（ａ）に示されるように、携帯端末８の操作部４０を一回操作すれば、「希望」という状態になり、二回操作すれば、「強く希望」という状態に変化し、もう一回操作するとデフォルト状態に戻る。
【００２３】
例えば、強く希望している鍋に、図３（ｂ）に示されるように２点を与え、希望している焼鳥には１点を与えるなどの情報を与える。この場合、一番食べたいものは「鍋」であり、２番目に食べたいものが「焼き鳥」であるという順位付けがなされる。
【００２４】
この利用者側ランキングは、サービス提供者４には、点数までは伝達されず、サービス利用者６が「鍋」と「焼き鳥」を食べたいと考えているといったシンプルな情報のみが提供される。
【００２５】
アンケート回答部１４は、複数のサービス提供者４からサービス利用者６へのアンケートに対する回答メッセージを送信する機能を有する。このとき、サービス提供者４は、アンケートの内容を見て、「鍋」、「焼き鳥」を提供していない等を理由として、回答メッセージを送信しない、すなわち、客を断ることも出来る。
【００２６】
回答メッセージは、複数のサービスの中からサービス提供者４が得意とするサービスに関する情報である提供者側ランキングを含んでいる。
【００２７】
回答メッセージは、サービス利用者６が「鍋」と「焼き鳥」を食べたいという情報が伝達されているため、サービス提供者４がどちらの料理が得意であるか等の情報を示す提供者側ランキングを含む。
【００２８】
持ち点がない状態では、客を獲得したい飲食店側（サービス提供者４）側は、「鍋も焼き鳥も得意です！」と最大点を付ける可能性が高いため、持ち点を設定する。
【００２９】
例えば、持ち点が５点だとすると、本当に得意な方に点数を割り当てる必要があるため実態に即したランキングが作成される。ここでは、図３（ｂ）に示されるように、「鍋」の点数が３点で、「焼き鳥」の点数が２点であり、飲食店側は鍋の方に自信があること分かるような情報である。
【００３０】
申込送信部１６は、回答メッセージの結果に基づいてサービス利用者６が選定した少なくとも１つのサービス提供者４に対して、サービスを利用するための申込メッセージを送信する機能を有している。
【００３１】
複数のサービス提供者４から回答メッセージがあった場合にサービス利用者６は、推薦部２０の機能により推薦されたサービス提供者４などに申込メッセージを送信することが出来る。
【００３２】
例えば、サービス利用者６が鍋を食べることを重視している場合には、鍋の提供を最も得意としているサービス提供者４に申込メッセージを送ることが出来る。このとき、鍋だけでなく、焼き鳥も得意としているなど全体的なバランスを考慮した上で適切と考えるサービス提供者４に申込メッセージを送ることが出来る。
【００３３】
予約成立部１８は、申込メッセージに対する受け入れ可能メッセージを最初に送信したサービス利用者６との予約成立を許可し、その他のサービス提供者４との予約成立を禁止する機能を有している。
【００３４】
サービス利用者６が利用しようと考える飲食店が複数に絞り込まれて、この絞り込まれた飲食店（サービス提供者４）に対し、申込メッセージが送信された場合には、最初に申し込みを受け入れるための意思表明としてメッセージを返信したサービス提供者４との予約成立を確定する。
【００３５】
このとき、ダブルブッキングを防止するために、その他のサービス提供者４との予約は成立しないように規制がかけられる。
【００３６】
推薦部２０は、利用者側ランキングと提供者側ランキングに基づいて、サービス利用者６が重視しているサービスを得意とするサービス提供者４を推薦する機能を有する。
【００３７】
例えば、図３（ｂ）に示されるように、サービス利用者６が「鍋」と「焼き鳥」を食べることを希望していて、「鍋」の方を重視している場合に、「鍋」を得意としているサービス提供者４を抽出して推薦する。
【００３８】
また、２番目に重視している焼き鳥とのバランスを考慮した上で全体的に均衡がとれたサービス提供者４を候補として推薦してもよい。
【００３９】
エリア決定部２２は、サービス利用者６が指定する位置情報に基づいて所定のエリアを決定する機能を有している。
【００４０】
例えば、図２（ａ）〜図２（ｃ）に示されるように、携帯端末８の画面に表示された現在地３０付近の道路３２上を手７の指で線状になぞり、カーソル５を操作することでエリア３６の領域を拡大又は縮小することができる。
【００４１】
このとき、エリア３６内に存在する４つの飲食店３４がアンケートを送信する候補リストに抽出される。なお、現在地３０は携帯端末８内に内蔵されたＧＰＳを用いて自動的に位置検出することが出来る。
【００４２】
また、図２（ａ）〜図２（ｃ）の手順のように、線状ではなく、例えば、点３５を中心にエリアを特定してもよい。
【００４３】
続いて、上記構成のサービス予約システム１０の作用について説明する。サービス提供者４（飲食店）での食事を考えているサービス利用者６（飲食店の客）は、携帯端末８を用いて、自分が存在する位置情報などに基づいて飲食店の探索エリアを指定する。このエリア内に存在する飲食店がピックアップされる。このとき、飲食店のジャンルや予算などで絞り込んでもよい。
【００４４】
上記のようにピックアップされた飲食店（サービス提供者４）の中からサービス利用者６は関心がある飲食店に対してアンケートを送信する。このアンケートには、日時、人数などはもちろんのこと、サービス利用者６が食べたいと考える食べ物や飲み物などの利用者側ランキングを含んでいる。また、このアンケートは、サービス利用者６が特定されないように匿名の状態で記入される。
【００４５】
アンケートを受け取った飲食店（サービス提供者４）は、日時、人数が許容可能かどうかという一般的なものに加えて利用者側ランキング情報に記載された食べ物や飲み物に対して得意なもののランク付けをした提供者側ランキング情報を記載して返信する。
【００４６】
この場合に、日時や人数が合わない場合はもちろん、サービス利用者６が希望する食べ物や飲み物を提供することが困難な場合、断りの意味も込めてアンケートを返信しないようにいてもよい。
【００４７】
アンケートの回答を受領した後に、利用者側ランキング情報と提供者側ランキング情報とに基づいて、サービス利用者６が希望するサービスの提供に適していると考えられるサービス提供者４の推薦が行われる。
【００４８】
この推薦結果などを踏まえて、サービス利用者６は、サービス利用者６が予約申し込みをしたいと考えるサービス提供者４に対して、申込メッセージを送信する。
【００４９】
複数のサービス提供者４に対して申込メッセージが送信された場合には、最初に受け入れ可能メッセージをサービス利用者６に返信した飲食店との予約を成立させ、当該飲食店以外の飲食店との予約は成立しないように規制する。これにより、ダブルブッキングを防ぐことができる。
【００５０】
従来、飲食店と客とは電話などを用いて一対一でやり取りしていたため、飲食店は客を選ぶ余地が無く、客も氏名などを告げると他の店を探した後に、再び同じ店に電話をかけることに躊躇していた。
【００５１】
しかしながら、サービス予約システム１０によれば、客と複数の飲食店とがやり取りしており、アンケートには客の強い要望などが記載されているため、飲食店側がこの要望を満足できないとして断ってもよい。
【００５２】
また、客も複数の飲食店と同時並行的にやり取りしているため、店を行ったり来たりする必要がないため、自分が望むことを満足してくれる飲食店を効率良く探索して予約することができるという顕著な効果を奏する。
【符号の説明】
【００５３】
４  サービス提供者、５  カーソル、６  サービス利用者、７  手、８  携帯端末、１０  サービス予約システム、１２  アンケート送信部、１４  アンケート回答部、１６  申込送信部、１８  予約成立部、２０  推薦部、２２  エリア決定部、３０  現在地、３２  道路、３４  飲食店、３５  点、３６  エリア、４０  操作部。
【要約】      （修正有）【課題】サービス提供者とサービス利用者とをより適切にマッチングすることを可能とするサービス予約システムを提供する。【解決手段】サービス予約システム１０は、サービス利用者６から所定のエリア内の複数のサービス提供者４へのアンケートをサービス利用者６の名前を伏せた匿名状態で送信するアンケート送信部１２と、複数のサービス提供者４からサービス利用者６へのアンケートに対する回答メッセージを送信するアンケート回答部１４と、回答メッセージの結果に基づいてサービス利用者６が選定した少なくとも１つのサービス提供者４に対して、サービスを利用するための申込メッセージを送信する申込送信部１６と、申込メッセージに対する受け入れ可能メッセージを最初に送信したサービス利用者６との予約成立を許可し、その他のサービス利用者６との予約成立を禁止する予約成立部１８と、を備える。【選択図】図１【図１】
0006811302.tif 000002
【図２】
0006811302.tif 000003
【図３】
0006811302.tif 000004